(57)【特許請求の範囲】
【請求項１】
温風発生手段を内蔵し、天面に排水孔を有する本体と、該本体上方を開閉自在に覆う蓋体と、排水口を有し前記本体天面と蓋体とで形成される食器乾燥室に着脱自在に収納される水受板と、該水受板に載置される食器籠とを備え、前記本体の開口上部に段部を形成すると共に、前記水受板の開口縁に前記段部に保持される鍔部を形成したことを特徴とする食器乾燥機。
【請求項２】
前記鍔部を水受板内側に向かって傾斜させたことを特徴とする請求項１記載の食器乾燥機。
【請求項３】
温風発生手段を内蔵し、天面に排水孔を有する本体と、該本体上方を開閉自在に覆う蓋体と、排水口を有し前記本体天面と蓋体とで形成される食器乾燥室に着脱自在に収納される水受板と、前記水受板に載置される食器籠とを備え、前記本体天面を、外周から排水孔に向かって漸次低くなるよう傾斜させると共に、前記水受板の底面を外周から排水口に向かって漸次低くなるよう傾斜させ、前記水受板の傾斜を本体天面の傾斜よりも緩やかに形成したことを特徴とする食器乾燥機。
【発明の詳細な説明】
【０００１】
【発明の属する技術分野】
本発明は、温風発生手段を有する本体と蓋体とで構成される食器乾燥室内に食器籠を収納して食器を乾燥させる食器乾燥機に関する。
【０００２】
【従来の技術】
従来、この種の食器乾燥機として、温風発生手段を有する本体とこの本体上部を開閉自在に覆う蓋体とで形成される食器乾燥室内に、洗った食器を載置した食器かごを収納して食器を乾燥させる構成のものが知られている。
【０００３】
このような食器乾燥機において、食器に付着した水滴が本体の食器乾燥室底面に滴下し、本体の一部に形成された排水孔より排出されるようになっており、繰り返し使用すると食器乾燥室底面に水垢等が付着するが、本体内には温風発生手段が収納されているため、水洗いができず清掃しにくい欠点があった。
【０００４】
【発明が解決しようとする課題】
本発明は、上記欠点に鑑みなされたもので、清掃性を向上し使い勝手のよい食器乾燥機を提供することを課題とする。
【０００５】
【課題を解決するための手段】
【０００８】
本発明は、温風発生手段を内蔵し、天面に排水孔を有する本体と、該本体上方を開閉自在に覆う蓋体と、排水口を有し前記本体天面と蓋体とで形成される食器乾燥室に着脱自在に収納される水受板と、該水受板に載置される食器籠とを備え、前記本体の開口上部に段部を形成すると共に、前記水受板の開口縁に前記段部に保持される鍔部を形成したことを特徴とする。
【０００９】
前記鍔部を水受板内側に向かって傾斜させることが望ましい。
【００１２】
さらに本発明は、温風発生手段を内蔵し、天面に排水孔を有する本体と、該本体上方を開閉自在に覆う蓋体と、排水口を有し前記本体天面と蓋体とで形成される食器乾燥室に着脱自在に収納される水受板と、前記水受板に載置される食器籠とを備え、前記本体天面を、外周から排水孔に向かって漸次低くなるよう傾斜させると共に、前記水受板の底面を外周から排水口に向かって漸次低くなるよう傾斜させ、前記水受板の傾斜を本体天面の傾斜よりも緩やかに形成したことを特徴とする。
【００１３】
【発明の実施の形態】
本発明の第１の実施の形態を図１乃至図９に基づいて説明する。
【００１４】
１は合成樹脂製の本体で、該本体１後方にヒータ２及び送風機３からなる温風発生手段４を内蔵する温風発生手段収納室５が形成されている。
【００１５】
６は前記本体１上面を開閉自在に覆う複数の蓋片７からなる蓋体で、本体１と蓋体６とで後述する食器籠22及び水受板16を収納する食器乾燥室８を形成している。９は前記本体１天面（前記食器乾燥室８底面）に形成された排水孔で、前記本体１の該排水孔９下方に対応する位置には水受皿10が着脱自在に配設されている。
【００１６】
11は前記本体１下部に形成された小物収納部で、該小物収納部11にまな板等の小物を収納するトレー12を出し入れ自在に収納するようになっており、該小物収納部11にトレー12を収納することにより小物乾燥室を形成している。
【００１７】
13は本体１の温風発生手段収納室５に連通して食器乾燥室８に臨む位置に形成され、前記温風発生手段４からの温風を食器乾燥室８に供給する第１温風供給口、14は本体１の温風発生手段収納室５に連通して小物収納部11に臨む位置に形成され、前記温風発生手段４からの温風を小物収納部11に供給する第２温風供給口である。
【００１８】
15は前記本体１前部に回動自在に配設された包丁ケースで、前記小物収納部11と連通し、前記第２温風供給口14から供給される温風が、小物収納部11を介して該包丁ケース15に供給され、包丁を乾燥させるようになっている。
【００１９】
16は前記食器乾燥室８に収納されるステンレス等の耐食性及び耐熱性を有する金属製の水受板で、前記本体１天面にほぼ一致する形状に形成され本体１天面にて支持されていると共に、該水受板16の前記本体１の排水孔９に対応する位置には、排水口17が形成されている。
【００２０】
18は前記水受板16の上面開口縁部に配設されたシリコン樹脂等の耐熱性を有するパッキンで、前記水受板16を本体１天面に載置した状態で本体１内側壁に当接して水受板16と本体１とを水密状に保持するようになっている。前記水受板16の前記第１温風供給口13に対応する部分には、開口19が形成されており、該開口19の第１温風供給口13側にも耐熱性を有するパッキン20が配設されており、前記第１温風供給口13から供給される温風が、水受板16と本体１との間へ流れるのを防止して温風を確実に水受板16内側へ案内し、後述する食器籠23の食器を効率よく乾燥させるようになっている。
【００２１】
21は前記水受板16内面の排水口17側に突設された支持突部で、前記排水孔９に向かって漸次下方に傾斜させた本体１天面に一致させて排水口17に向かって漸次下方に傾斜させた水受板16底面に後述する食器籠23を載置した際に、食器籠23を水平に保つよう形成されている。
【００２２】
22は前記水受板16の内側面の一部分に水受板16の外側に向かって凹設された把手部で、前記水受板16の内側に形成された該把手部22に手をかけて水受板16を本体１から着脱するようになっている。
【００２３】
23は前記水受板16上に載置されるステンレス製の食器籠で、該食器籠23の開口縁の相対向する二辺（本実施の形態では食器籠23の左右の二辺）に、樹脂製の把持部材24が配設されている。
【００２４】
前記把持部材24に、可逆性を有する塗料（本実施の形態では、所定の温度範囲を超えると変色するとともに、温度が下がると再び元の色に戻る性質を有する塗料）を塗布、または可逆性樹脂（本実施の形態では、所定の温度範囲を超えると変色するとともに、温度が下がると再び元の色に戻る性質を有する樹脂）を練り込むと、食器乾燥直後に食器籠23が加熱した状態を視覚的に表示でき、使用者が乾燥直後の加熱した食器籠23をさわり誤って火傷を負うことを防止でき、安全性を向上できる。
【００２５】
上記構成によると、本体１に水受板16を載置するとともに食器籠23を収納し、温風発生手段４を駆動すると、温風が第１、第２温風供給口13、14を介して食器乾燥室８及び小物収納部11に供給され、食器やまな板等を乾燥させる。
【００２６】
食器に付着した水は、水受板16に滴下して排水口17及び本体１の排水孔９を介して水受皿10に集められる。水受板16の開口縁部及び開口19の第１温風供給口13側面にはパッキン18、20が配設されているため、食器籠23に洗った食器を収納する際などに水受板16の開口縁部に水が滴下しても、水受板16開口縁と本体１との隙間から本体１天面上に水が侵入することがなく、本体１天面を汚すのを防止できるとともに、第１温風供給口13からの温風が開口19を介して確実に水受板16内側へ案内されるため、食器籠23に収納された食器を効率よく乾燥させることができる。
【００２７】
掃除をする際には、食器籠23の把持部材24を把持して食器籠23を取り出し、水受板16の把手部22に手をかけて水受板16を取り外して水受板16を水洗いでき、使い勝手を向上できると共に、本体１天面を清潔に保つことができる。
【００２８】
上記第１の実施の形態では、水受板16を本体１天面にて支持し、水受板16の開口縁部にパッキン18を配設して水密保持する構成としたが、図10及び図11に示す第２の実施の形態のごとく、水受板16の上面開口部に鍔部25を形成し、本体１の上面開口部近傍に形成した段部26に載置して水受板16を支持する構成としても良く、さらに前記鍔部25を、その遊端部が上方に位置するように水受板16中央部側に傾斜させても良い。
【００２９】
この構成によると、水受板16の開口縁部にパッキンを配設することなく、水受板16と本体１との隙間への水の侵入を防止でき、コストを抑えることができる。また、鍔部25を水受板16中央部側へ傾斜させることにより、鍔部25に水が滴下しても水受板16上へ確実に案内され、本体１天面を清潔に保つことができる。
【００３０】
次に、図12乃至図20に基づいて第３の実施の形態を説明する。尚、上記実施の形態と同一部分は、同一符号を附して説明を省略する。
【００３１】
27は前記本体１の排水孔９に形成された突部で、排水孔９上部に形成された十字形のリブ28に一体形成されている。
【００３２】
29は前記水受板16の排水口17に配設された開閉機構で、前記排水口17を閉塞する栓30と、該栓30を排水口17側へ付勢させるバネ31と、該バネ31を支持する支持部材32とから構成されている。
【００３３】
33は前記水受板16上面に形成された係止爪で、前記食器籠23の脚部23ａを係止するようになっている。
【００３４】
上記構成によると、食器乾燥機を台所の流し台近傍に置けない場合等に食器を洗う際、食器籠23の脚部23ａを水受板16の係止爪33に係止し、食器籠23を水受板16とともに取り外し、流し台近傍に置いて使用できる。
【００３５】
この時、水受板16を本体１から取り外すと、栓30がバネ31の付勢力により排水口17側へ押しつけられ、水受板16上の水が排水口17から滴下する事がなく、洗った食器を載置した食器籠23を本体１の所へ運ぶ際に、床を汚すことがない。
【００３６】
そして、水受板16に係止した食器籠23を運んで水受板16及び食器籠23を食器乾燥室８に収納すると、本体１天面の排水孔９に形成した突部27により水受板16の栓30がバネ31の付勢力に抗して押し上げられ、水受板16の排水口17と本体１天面の排水孔９が連通するため、食器から水受板16上に滴下した水が排水口17及び排水孔９を介して水受皿10に集められる。
【００３７】
従って、食器籠23及び水受板16を本体１から取り外した状態では水受板16から水が滴下する事がないと共に、食器籠23及び水受板16を本体１に収納した際に水受板16上の水が本体１の水受皿10に集められるため、食器を洗う際に食器籠23及び水受板16のみを流し台近傍に運んで使用し、濡れた食器を載置した食器籠23及び水受板16を再び本体１の所へ運ぶ場合等に、床を汚すことなく使用でき、使い勝手を向上できる。
【００３８】
次に、本発明の第４の実施の形態を図21乃至図24に基づいて説明する。尚、本実施の形態において、食器籠は省略している。
【００３９】
34は図示しないヒータ及び送風機等からなる温風発生手段を内蔵する温風発生手段収納室35を形成した本体で、該本体34上面を開閉自在に覆う複数の蓋片36からなる蓋体37とで食器乾燥室38を構成している。39は前記本体34に食器乾燥室38に臨ませて形成された温風供給口で、該温風供給口39は後述する水受板42の開口縁よりも上方に位置するよう構成されている。
【００４０】
40は前記本体34天面（食器乾燥室38の底面）の略中央部に形成された排水孔で、前記本体34天面は、外周から該排水孔40に向かって漸次低くなるよう傾斜しているとともに、前記本体34の該排水孔40下方に対応する位置には水受皿41が着脱自在に配設されている。
【００４１】
42は前記本体34天面に載置されるステンレス等の耐食性及び耐熱性を有する金属製の水受板で、該水受板42の前記本体34の排水孔40に対応する位置には、排水口43が形成されている。
【００４２】
前記水受板42は、外周から排水孔43に向かって漸次低くなるよう傾斜して形成されているが、該水受板42の傾斜は、前記本体34天面の傾斜よりも緩やかに形成されており、水受板42を食器乾燥室38に収納した状態では、水受板42裏面角部が全周にわたって本体34天面と接触する。
【００４３】
上記構成により、水受板42の四辺が全周で本体34天面に接触するため、水受板42の保持部を設けることなく簡単な構成で水受板42を食器乾燥室38に安定保持できる。
【００４４】
また、水受板42の保持部を設ける必要がないため、水受板42がなく食器籠のみの機種との共通使用が可能となる。
【００４５】
さらに、水受板42を有する機種においても、水受板42を使用せず、食器籠を直接本体34天面に載置して使用することも可能であるが、上記第２の実施の形態のごとく、水受板に鍔部を形成して本体上部の段部にて保持させる構成では、本体天面から段部までの高さ寸法が水受板の深さ寸法よりも大きい場合、水受板なしで食器籠を直接本体天面に載置すると、水受板上に食器籠を載置した場合よりも第１温風供給口が食器籠の高い位置に臨むことになり、食器籠に対して比較的高い位置に温風供給口が位置して温風が食器全体に当たらず、食器の乾燥効率が低下する。
【００４６】
これに対し、本第４の実施の形態の構成とすることにより、水受板42の有無に関わらず温風供給口39に対する食器籠の相対的高さが変わらないため、水受板42の有無に関わらず食器を効率よく乾燥させることができる。
【００４７】
尚、上記第４の実施の形態では、排水孔40を本体34天面の略中央部に形成し、水受板42の四辺が本体34天面と接触するように構成したが、図25及び図26に示す第５の実施の形態のごとく、本体34天面の排水孔40を本体34一側に位置させるとともに、本体34他側の２つの角部から排水孔40に向かって本体34天面を傾斜させ、水受板42裏面の三辺が本体34天面と接触するようにしてもよい。
【００４８】
【発明の効果】
【００５３】
本発明の請求項１によると、食器籠の食器からの水が食器乾燥室に着脱自在に収納された水受板に滴下するが、掃除をする際には食器籠及び水受板を取り外して水受板を水洗いでき、使い勝手を向上できると共に、本体天面には水が滴下せず、本体を清潔に保つことができる。
【００５４】
また、水受板に鍔部を形成し、本体の開口上部に形成した段部にて水受板を保持したため、水受板の開口縁部にパッキンを配設することなく、水受板の開口縁と本体との隙間への水の侵入を防止でき、コストを抑えることができる。
【００５５】
本発明の請求項２によると、食器籠の食器からの水が食器乾燥室に着脱自在に収納された水受板に滴下するが、掃除をする際には食器籠及び水受板を取り外して水受板を水洗いでき、使い勝手を向上できると共に、本体天面には水が滴下せず、本体を清潔に保つことができる。
【００５６】
また、水受板に鍔部を形成し、本体の開口上部に形成した段部にて水受板を保持したため、水受板の開口縁部にパッキンを配設することなく、水受板の開口縁と本体との隙間への水の侵入を防止でき、コストを抑えることができる。
【００５７】
さらに、鍔部を水受板内側へ傾斜させることにより、鍔部に水が滴下しても水受板上へ確実に案内され、本体天面をより確実に清潔に保つことができる。
【００６３】
本発明の請求項３によると、食器籠の食器からの水が食器乾燥室に着脱自在に収納された水受板に滴下するが、掃除をする際には食器籠及び水受板を取り外して水受板を水洗いでき、使い勝手を向上できると共に、本体天面には水が滴下せず、本体を清潔に保つことができる。
【００６４】
また、水受板の傾斜を食器乾燥室底面の傾斜よりも緩やかに形成したことにより、水受板の裏面角部がほぼ全周で食器乾燥室底面に接触するため、水受板の保持部を設けることなく簡単な構成で水受板を食器乾燥室に安定保持できる。
【００６５】
さらに、水受板の保持部を設ける必要がないため、水受板がなく食器籠のみの機種との共通使用が可能となるとともに、水受板に鍔部を形成して本体上部の段部にて保持させた場合に比べて、水受板の有無に関わらず食器乾燥室に収納した食器籠の高さが変わらないため、食器籠に対する温風供給口の相対的位置が変動せず、水受板の有無に関わらず食器を効率よく乾燥させることができる。
【図面の簡単な説明】
【図１】本発明の実施の形態を示す食器乾燥機の正面図である。
【図２】同側面図である。
【図３】同第１の実施の形態を示す食器乾燥機の断面図である。
【図４】同食器籠をはずした状態の断面図である。
【図５】同食器乾燥機の蓋体を開放した状態の上面図である。
【図６】同他の方向から見た断面図である。
【図７】同水受板の上面図である。
【図８】同水受板の一部を破断した側面図である。
【図９】同他の方向からみた水受板の一部破断側面図である。
【図１０】本発明の第２の実施の形態を示す食器乾燥機の断面図である。
【図１１】同他の方向から見た断面図である。
【図１２】本発明の第３の実施の形態を示す食器乾燥機の断面図である。
【図１３】同食器籠及び水受板をはずした状態の食器乾燥機の断面図である。
【図１４】同水受板の一部破断側面図である。
【図１５】同他の方向から見た水受板の一部破断側面図である。
【図１６】同水受板と食器籠を係合させた状態を示す断面図である。
【図１７】同他の方向から見た断面ずである。
【図１８】同上面図である。
【図１９】同水受板の上面図である。
【図２０】同本体の蓋体を開放した状態の上面図である。
【図２１】本発明の第４の実施の形態を示す食器乾燥機の断面図である。
【図２２】同他の方向から見た断面図である。
【図２３】同本体の蓋体を開放した状態の上面図である。
【図２４】同水受板を収納した状態で蓋体を開放した本体の上面図である。
【図２５】本発明の第５の実施の形態を示す本体の蓋体を開放した状態の上面図である。
【図２６】同水受板を収納した状態で蓋体を開放した本体の上面図である。
【符号の説明】
１、34      本体
３          ファン（温風発生手段）
４          ヒータ（温風発生手段）
８、38      食器乾燥室
９、40      排水孔
16、42      水受板
17、43      排水口
18          パッキン
23          食器籠
23ａ        脚部（係止手段）
25          鍔部
26          段部
30          栓（開閉手段）
31          バネ（開閉手段）
32          支持部材
33          係止爪（係止手段）
【図１】
0004190085.tif 000002
【図２】
0004190085.tif 000003
【図３】
0004190085.tif 000004
【図４】
0004190085.tif 000005
【図５】
0004190085.tif 000006
【図６】
0004190085.tif 000007
【図７】
0004190085.tif 000008
【図８】
0004190085.tif 000009
【図９】
0004190085.tif 000010
【図１０】
0004190085.tif 000011
【図１１】
0004190085.tif 000012
【図１２】
0004190085.tif 000013
【図１３】
0004190085.tif 000014
【図１４】
0004190085.tif 000015
【図１５】
0004190085.tif 000016
【図１６】
0004190085.tif 000017
【図１７】
0004190085.tif 000018
【図１８】
0004190085.tif 000019
【図１９】
0004190085.tif 000020
【図２０】
0004190085.tif 000021
【図２１】
0004190085.tif 000022
【図２２】
0004190085.tif 000023
【図２３】
0004190085.tif 000024
【図２４】
0004190085.tif 000025
【図２５】
0004190085.tif 000026
【図２６】
0004190085.tif 000027